(57)【特許請求の範囲】
【請求項１】
天板を支持する管状の脚柱間に幕板を取り付けるためのテーブル等の幕板取付構造であって、管状の脚柱と、該脚柱の周面に上下方向に延びる開口と、該開口の左右両端縁からそれぞれ内方に向けて延設される取付片とが、押し出し成形により一体成形されるとともに、該取付片に、前記開口を介して挿入される前記幕板の左右側端部の少なくとも一部を取付け出来るようになっており、前記開口を閉塞可能なカバー体が、該カバー体の左右端部と前記脚柱における開口の左右端縁との間に隙間が形成されるように前記開口に対して着脱自在に取り付けられていることを特徴とするテーブル等の幕板取付構造。
【請求項２】
前記幕板の左右側端部に外方に突出するように設けられる突片が、前記取付片に取り付けられてなる請求項１に記載のテーブル等の幕板取付構造。
【請求項３】
前記左右の取付片の先端に、脚柱の外方に向けて延びる屈曲片がそれぞれ形成されるとともに、該左右の屈曲片に、前記カバー体の内側に形成される係止爪が係脱可能な係止部が形成されている請求項１または２に記載のテーブル等の幕板取付構造。
【請求項４】
前記係止部が、前記左右の屈曲片におけるそれぞれの外面に形成されている請求項３に記載のテーブル等の幕板取付構造。
【請求項５】
前記突片が、前記幕板の左右端部における上下方向にわたって形成されている請求項２ないし４のいずれかに記載のテーブル等の幕板取付構造。
【発明の詳細な説明】
【０００１】
【発明の属する技術分野】
本発明は、テーブル等の天板の下方に配設される幕板の取付構造に関する。
【０００２】
【従来の技術】
従来、管状の脚柱により天板が支持されたテーブル等において、前記天板の下方における各脚柱間に幕板を配設し、天板の下方を覆うことがある。
【０００３】
【発明が解決しようとする課題】
しかしながら、このような幕板を、例えば幕板の左右端部を脚柱に対して取付けることで幕板を支持する場合、幕板の左右端部と脚柱の周面とを取付金具等を介して取り付けることが考えられるが、脚柱の周面形状によっては、脚柱周面に対する幕板の取付位置を決定しにくいばかりか、取付金具が外部に露呈して見映えが悪くなるといった問題があった。
【０００４】
本発明は、このような問題点に着目してなされたもので、幕板を管状の脚柱に対して容易に取り付けることが可能なテーブル等の幕板取付構造を提供することを目的とする。
【０００５】
【課題を解決するための手段】
上記課題を解決するために、本発明のテーブル等の幕板取付構造は、天板を支持する管状の脚柱間に幕板を取り付けるためのテーブル等の幕板取付構造であって、管状の脚柱と、該脚柱の周面に上下方向に延びる開口と、該開口の左右両端縁からそれぞれ内方に向けて延設される取付片とが、押し出し成形により一体成形されるとともに、該取付片に、前記開口を介して挿入される前記幕板の左右側端部の少なくとも一部を取付け出来るようになっており、前記開口を閉塞可能なカバー体が、該カバー体の左右端部と前記脚柱における開口の左右端縁との間に隙間が形成されるように前記開口に対して着脱自在に取り付けられていることを特徴としている。この特徴によれば、幕板の左右端部を取付け可能な取付片が、脚柱の成形と同時に一体成形されるため、幕板の脚柱に対する取付けを、脚柱の形状等に影響されることなく確実に、かつ容易に行える。また脚柱に幕板が取り付けられた状態にあっても、開口をカバー体により閉塞できるばかりか、カバー体により幕板と取付片との取付部がカバー体により覆われるため、外観体裁が向上する。
【０００６】
本発明のテーブル等の幕板取付構造は、前記幕板の左右側端部に外方に突出するように設けられる突片が、前記取付片に取り付けられてなることが好ましい。このようにすれば、幕板と取付片との取付けを容易に行える。
【０００８】
本発明のテーブル等の幕板取付構造は、前記左右の取付片の先端に、脚柱の外方に向けて延びる屈曲片が形成されるとともに、該左右の屈曲片に、前記カバー体の内側に形成される係止爪が係脱可能な係止部が形成されていることが好ましい。
このようにすれば、幕板が脚柱に取付けられた状態で、カバー体を係止爪と係止部との係脱作用により開口に対して容易に取り付け出来る。
【０００９】
本発明のテーブル等の幕板取付構造は、前記係止部が、前記左右の屈曲片におけるそれぞれの外面に形成されていることが好ましい。
このようにすれば、脚柱内の空間部にケーブルやコード類等が収納されている場合等においても、係止部と係止片との係脱が収納されたケーブルやコード類に邪魔されることがないので、開口へのカバー体の取付け、取り外しを確実に行える。
【００１０】
本発明のテーブル等の幕板取付構造は、前記突片が、前記幕板の左右端部における上下方向にわたって形成されていることが好ましい。
このようにすれば、幕板の左右端部と脚柱の周面との間に生じる隙間が突片により閉塞されるので、外観が損なわれることがない。
【００１１】
【発明の実施の形態】
以下、本発明の実施例を図面に基づいて説明すると、まず図１には本発明の適用されたテーブル１が示されており、２は天板、３は天板２を支持する脚柱をそれぞれ示しており、天板２の下方における各脚柱３間には、幕板４、４’が配設されている。また、５はノートブック型のパソコンであり、このパソコンから延出されるケーブル・コード類Ｃは、天板２上面における後方左右側にそれぞれ設けられた挿通口６を介して天板２の下方に挿通出来るようになっている。
【００１２】
図２中において天板２の左右側を支持する前後の脚柱３、３間に配設される幕板４、及び天板２の後方を支持する後部左右の脚柱３、３間に配設される幕板４、４’は、それぞれの左右端部に外方に突出するように設けられる取付金具７を介して各脚柱３に取り付けられている。この幕板４、４’の取付構造の詳細は後述することとする。
【００１３】
図２に示される８は、天板２の下面を支持する補強フレームであり、この補強フレーム８は、前後の脚柱３の上端部に取り付けられる天板受座９のフランジ部１０（図３、４参照）に前後端がネジ固定されるフレーム８ａと、この左右のフレーム８ａ同士を連結する連結フレーム８ｂとから構成されている。
【００１４】
天板受座９は、図３、図４に示されるように、天板２の下面を支持するフランジ部１０を有する天板固定部材９ａと、脚柱３の上端面を閉塞する閉塞部材９ｂとからなり、フランジ部１０には、天板２を固定するボルト１１を挿通する挿通孔１２と、前述したフレーム８ａを固定するボルト３４の挿通孔１４がそれぞれ形成されているとともに、天板固定部材９ａの中央部に形成された凹部１５の底部１６には、脚柱３との固定用のボルト１７の挿通孔１８が形成されている。
【００１５】
また、底部１６には、閉塞部材９ｂの上面中央部に突設された凸部１９が嵌合可能な孔部２０が形成されており、天板固定部材９ａの孔部２０に閉塞部材９ｂの凸部１９を嵌合することにより、両者を一体化出来るようになっている。
【００１６】
脚柱３の下端には、床面に接地する樹脂製の接地部材２１の取付部２２がボルト２３を介して取り付けられている。
【００１７】
脚柱３は、図５に示される横断面図のように中空の管状に形成されており、その周面には、開口１３が上端から下端に亘って形成されているとともに、この脚柱３における開口１３の左右端縁部からは、取付片２７がそれぞれ内向きに連設されている。この取付片２７には、幕板４、４’の左右端部にネジ固定された取付金具７の取付用のネジ孔２９が上下方向に複数形成されているとともに、天板受座９及び取付部２２を固定するボルト１７、２３を螺入可能な雌ネジ部が内周面における上下端部にそれぞれ形成された断面略Ｃ字形のネジ受部２５ａ、２５ｂがそれぞれ外向きに形成されている。なお、本実施例における取付金具７は、上下幅が幕板４、４’の左右端部の上下幅とほぼ同寸をなす板状に形成されている。
【００１８】
取付片２７の先端からは互いに内向きに屈曲する屈曲片２８が連設されており、この左右の屈曲片２８の先端部外面には、開口１３を閉塞可能なカバー体３０の内側より延設された２つの係止片３１の先端に形成された係止爪３２に係脱可能な係止部３３が形成されている。この係止部３３にカバー体３０の係止爪３２を係止させることでカバー体３０を取付出来るようになっており、このカバー体３０により開口１３が閉塞されるようになっている。
【００１９】
さらに、左右それぞれの取付片２７の先端部同士は、横断面略Ｃ字状の連結板２６によりそれぞれ連結されており、これら取付片２７、２７と連結板２６とから構成される仕切板３６により、脚柱３内に、開口１３を介して外部に連通する配線の収納空間Ｓが形成されるようになっている。また、脚柱３の内周面における開口１３の対向位置から内向きに連設される突出片２４の先端には、天板受座９及び取付部２２を固定するボルト１７、２３を螺入可能な雌ネジ部が内周面における上下端部にそれぞれ形成されたネジ受部２５ｃが設けられているとともに、さらにこのネジ受部２５ｃと連結板２６とは、連結片３７を介して連結されている。
【００２０】
そして本実施例においては、これら脚柱３を構成するネジ受部２５ａ〜２５ｃ、突出片２４、連結板２６、取付片２７、屈曲片２８、開口１３が、押し出し成形により脚柱３の成形と同時に一体成形されるため、全て脚柱３の上下方向に亘って形成されている。
【００２１】
このように形成される脚柱３は、図３に示されるように、天板受座９における凹部１５の上方より挿通孔１８に挿通したボルト１７を、脚柱３のネジ受部２５ａ〜２５ｃの上部に螺入することで、天板受座９により上端開口が閉塞されるようになっているとともに、ネジ受部２５ａ〜２５ｃの下部にボルト２３を螺入することにより取り付けられる取付部２２により、下端開口が閉塞されるようになっている。なお、ボルト１７をフランジ部１０の挿通孔１８を挿通して天板２に螺入することにより天板２が取り付けられている。
【００２２】
また、脚柱３の成形時において、取付片２７、２７と連結板２６とにより構成される仕切板３６、及び開口１３が一体成形されることにより、配線の収納空間Ｓが脚柱３の上下方向にわたって形成されるので、例えば天板２上にて使用するコンピュータ５等から挿通孔６を介して天板２の下方に延出されるケーブル・コード類Ｃを、図３、図６に示されるように脚柱３の上下方向に収納出来るばかりか、使用時においてはこの開口１３をカバー体３０により閉塞することが出来るため、ケーブル・コード類Ｃを見映えよく配線出来るようになっている。
【００２３】
また、このように脚柱３内に設けられる仕切板３６と開口１３を閉塞可能なカバー体３０とにより配線の収納空間Ｓが形成されることにより、開口１３を介して収納されるケーブル・コード類Ｃが脚柱３内の奥方に収納されて開口１３より取り出しにくくなることがない。そしてこの仕切板３６が脚柱３と同時に一体成形されるため、配線の収納空間Ｓを脚柱３内に容易に形成することが出来るばかりか、仕切板３６により脚柱３における開口１３近傍の強度低下が効果的に防止される。
【００２４】
また、開口１３近傍のネジ受部２５ａ、２５ｂが仕切板３６に一体的に形成されているため、ケーブル・コード類Ｃの収納時にネジ受部２５ａ、２５ｂが邪魔になることがないばかりか、仕切板３６における開口１３の対向側に位置し、仕切板３６の一部を構成する連結板２６が開口１３と反対方向に膨出しているため、開口１３の近傍に多量のケーブル・コード類Ｃを収納することが出来る。
【００２５】
また、図６に示されるように、脚柱３の成形と同時に、取付片２７が脚柱３における開口１３の左右端縁からそれぞれ内向きに形成され、この取付片２７に幕板４、４’の左右端部より外方に突出するようにネジ固定される取付金具７をネジ固定出来るようになっているため、脚柱３の周面形状に影響されることなく、幕板４、４’を脚柱３に対して確実に取り付けることが出来るばかりか、幕板４、４’が強固な取付片２７により安定して支持される。
【００２６】
使用時においては、カバー体３０の係止爪３２を屈曲片２８の係止部３３に係止させ、カバー体３０を開口１３に取り付けることで、収納空間Ｓ内に収納されたケーブル・コード類Ｃや、幕板４、４’の取付金具７と取付片２７との取付部材がカバー体３０により覆われるため、外観体裁が向上する。また、カバー体３０は容易に着脱出来るため、配線作業等を容易におこなえる。
【００２７】
なお、本実施例においては、カバー体３０の係止爪３２と係止部との係脱が、左右の屈曲片２８の外側にて行われるため、カバー体３０の開口１３への取付け時において、係止爪３２と係止部との係脱がケーブルやコード類等に邪魔されることがないので、カバー体３０にて開口１３を確実に閉塞できる。
【００２８】
また、本実施例におけるカバー体３０は、図３に示されるように取付け時において開口１３の上部にコード挿通用の開口が形成される長さに形成されているとともに、下端に形成される切欠部３５を介してケーブルやコード類を外部に挿通出来るようになっているため、カバー体３０を取り外すことなく配線することが出来る。
【００２９】
さらに、図５に示されるように、カバー体３０の開口１３への取付け時において、カバー体３０の左右端部と、脚柱３における開口１３の左右端縁との間に、取付金具７を挿通可能とする所定の隙間が形成されるようになっているため、幕板４、４’の取付け状態においても、カバー体３０を開口１３に対して取り付けることが出来る。
【００３０】
また、図６に示されるように幕板４、４’が脚柱３に対して取り付けられた状態において、脚柱３の周面と幕板４、４’の左右端部との間が、上下幅が幕板４、４’の左右端部の上下幅とほぼ同寸の取付金具７により閉塞されるため、脚柱３の外周面と幕板４、４’の端面との間に生じる隙間が取付金具７により閉塞されるため、外観体裁が損なわれることがない。
【００３１】
以上、本発明の実施例を図面により説明してきたが、具体的な構成はこれら実施例に限られるものではなく、本発明の要旨を逸脱しない範囲における変更や追加があっても本発明に含まれる。
【００３２】
例えば、取付片２７の形状や長さは、上記実施例に記載したものに限定されるものではなく、種々に変形可能である。
【００３３】
また、幕板４、４’は取付金具７を介して取付片２７に取り付けられていたが、幕板４、４’の左右端部を取付片２７に直接取付てもよい。
【００３４】
【発明の効果】
本発明は以下の効果を奏する。
【００３５】
（ａ）請求項１項の発明によれば、幕板の左右端部を取付け可能な取付片が、脚柱の成形と同時に一体成形されるため、幕板の脚柱に対する取付けを、脚柱の形状等に影響されることなく確実に、かつ容易に行える。また脚柱に幕板が取り付けられた状態にあっても、開口をカバー体により閉塞できるばかりか、カバー体により幕板と取付片との取付部がカバー体により覆われるため、外観体裁が向上する。
【００３６】
（ｂ）請求項２項の発明によれば、幕板を配設する方向に関わらず、幕板と取付片との取付けを容易に行える。
【００３８】
（ｃ）請求項３項の発明によれば、幕板が脚柱に取付けられた状態で、カバー体を係止爪と係止部との係脱作用により開口に対して容易に取り付け出来る。
【００３９】
（ｄ）請求項４項の発明によれば、脚柱内の空間部にケーブルやコード類等が収納されている場合等においても、係止部と係止片との係脱が収納されたケーブルやコード類に邪魔されることがないので、開口へのカバー体の取付け、取り外しを確実に行える。
【００４０】
（ｅ）請求項５項の発明によれば、幕板の左右端部と脚柱の周面との間に生じる隙間が突片により閉塞されるので、外観が損なわれることがない。
【図面の簡単な説明】
【図１】本発明の適用されたテーブルを示す斜視図である。
【図２】図１のテーブルの上面図である。
【図３】テーブルの脚柱を示す一部破断正面図である。
【図４】図３のＡ−Ａ断面図である。
【図５】図３のＢ−Ｂ断面図である。
【図６】脚柱に幕板とカバー体とが取り付けられた状態を示す断面図である。
【符号の説明】
１              テーブル
２              天板
３              脚柱
４              幕板
５              コンピュータ
６              挿通孔
７              取付金具（突片）
８              補強フレーム
８ａ            フレーム
８ｂ            連結フレーム
９              天板受座
９ａ            天板固定部材
９ｂ            閉塞部材
１０            フランジ部
１１            ボルト
１２            挿通孔
１３            開口
１４            挿通孔
１５            凹部
１６            底部
１７            ボルト
１８            挿通孔
１９            凸部
２０            孔部
２１            接地部材
２２            取付部
２３            ボルト
２４            突出片
２５ａ〜２５ｃ  ネジ受部
２６            連結板
２７            取付片
２８            屈曲片
２９            ネジ孔
３０            カバー体
３１            係止片
３２            係止爪
３３            係止部
３４            ボルト
３５            切欠部
３６            仕切板
３７            連結片
Ｃ              ケーブル・コード類
Ｓ              収納空間
【図１】
0004394220.tif 000002
【図２】
0004394220.tif 000003
【図３】
0004394220.tif 000004
【図４】
0004394220.tif 000005
【図５】
0004394220.tif 000006
【図６】
0004394220.tif 000007